(57)【要約】【課題】停電時にも電源を用いることなく避難路の誘導サイン等を発光表示させることができ、また、正常時と停電時とで表示を変化させることができる表示用シートとフロアマットとを提供する。【解決手段】基材シート２の表面に蓄光塗料又は蓄光フィルムで形成された発光表示面３が形成され、基材シート２の上に積層された透光性シート４の表面に通常表示面５が形成されている。例えば、発光表示面３は避難用の誘導サインとなっており、通常表示面５は路線の乗り換えのための案内や広告などとなっている。通常の明るい状態では、表示用シート１は、乗り換え案内や広告などの通常表示面５が表示されているが、停電になって周囲が暗くなると、発光表示面３に表示が切り替わり、地上出口などへの避難路が表示される。【選択図】      図１
2004163621.tif 000002
【特許請求の範囲】
【請求項１】
遮光状態で少なくとも一部が発光する第１の表示面と、前記第１の表示面を覆う第２の表示面とを備えた表示用シート。
【請求項２】
前記第１の表示面の発光部分は、蓄光塗料又は蓄光フィルムにより形成されていることを特徴とする、請求項１に記載の表示用シート。
【請求項３】
前記第２の表示面は、光を透過させることのできる塗膜により形成されていることを特徴とする、請求項１又は２に記載の表示用シート。
【請求項４】
基材シートの表面に前記第１の表示面を形成し、前記基材シートの上方に積層された透明ないし半透明のシートの表面に第２の表示面を形成したことを特徴とする、請求項１、２又は３に記載の表示用シート。
【請求項５】
前記第２の表示面の表面を保護層によって覆ったことを特徴とする、請求項１乃至４に記載の表示面。
【請求項６】
前記第１の表示面は、緊急時誘導用のサインを表したものであることを特徴とする、請求項１乃至５に記載の表示用シート。
【請求項７】
前記第１の表示面の背面に光反射層を形成したことをことを特徴とする、請求項１乃至６に記載のフロアマット。
【請求項８】
遮光状態で発光する誘導サインを表面に形成された基材シートの上方に、前記誘導サインを覆うようにして宣伝広告面を形成された透明ないし半透明のシートを積層したことを特徴とする床面付着シート。
【請求項９】
遮光状態で発光する誘導サインを表面に形成された基材シートの上方に、前記誘導サインを覆うようにして宣伝広告面を形成された透明ないし半透明のシートを積層したことを特徴とする壁面付着シート。
【発明の詳細な説明】
【０００１】
【発明の属する技術分野】
本発明は、表示用シート、床面付着シート及び壁面付着シートに関する。例えば、本発明は、通常の状態においては広告や通路案内標識等として用いられる表示用シートや床面付着シート、壁面付着シートに関するものである。
【０００２】
【背景技術】
駅構内、公共施設、ビル内などには、地上出口や非常口、非常階段などの位置を示す誘導灯や避難灯などが設置されている。これらの誘導灯や避難灯は、停電時には無停電電源で点灯するようになっているので、停電時には駅構内等にいる人々を安全に誘導して避難させることができる。
【０００３】
しかし、このような誘導灯や避難灯では、ランプが切れていたり、無停電電源が故障していたりすると、危険であるので、絶えず保守点検の必要がある。また、これらの誘導灯や避難灯は、常時点灯したままにしておかないとランプ切れなどに気付かないので、常時点灯されていることが多い。そのため、ビル全体、地域全体として見れば、消費エネルギーは膨大なものとなり、省エネルギー政策の点から考えても望ましいものではない。さらに、このような誘導灯や避難灯などでは、美観の点からも、省エネルギーの点からも大きなものを設置することは困難であった。
【０００４】
本発明は上記のような問題点に鑑みてなされたものであり、その目的とするところは、停電時にも電源を用いることなく避難路の誘導サイン等を発光表示させることができ、また、正常時と停電時とで表示を変化させることができる表示用シート、床面付着シート及び壁面付着シートを提供することにある。
【０００５】
【課題を解決するための手段】
本発明にかかる表示用シートは、遮光状態で少なくとも一部が発光する第１の表示面と、前記第１の表示面を覆う第２の表示面とを備えたものである。本発明の表示用シートは、例えば、基材シートの表面に前記第１の表示面を形成し、前記基材シートの上方に積層された透明ないし半透明のシートの表面に第２の表示面を形成することによって構成することができるが、第１の表示面の上に直接第２の表示面を形成することも可能である。
【０００６】
前記第１の表示面の発光部分は、蓄光材料を含んだ蓄光塗料を印刷したり、蓄光フィルムを貼り付けることにより形成することができる。この第１の表示面には、地下施設やビル内から屋外へ脱出するための経路を示す緊急時誘導用のサインを表したり、エレベータの故障や電車事故などの際の非常時の対処方法の説明などを記載したりしておく。
【０００７】
一方、前記第２の表示面は、光を透過させることのできる塗膜により形成しておく。第２の表示面は、用途に応じて様々な表示がなされる。例えば、宣伝広告、路線の乗り換えの案内、イラストやアート等どのようなものでもよい。
【０００８】
さらに、前記第２の表示面の表面は、保護層によって覆っておくことが望ましい。また、前記第１の表示面の背面には、光反射層を形成しておいてもよい。
【０００９】
このような表示用シートは、様々な用途に用いることができる。例えば、駅構内や地下街、公共施設内、ビル内、工場内などにおいて、床に敷いてフロアマットとして使用することもでき、壁に貼ってパネル代わりやポスターとして用いることもでき、車両やエレベータ内に貼ってステッカー等として用いることもできる。
【００１０】
本発明にかかる床面付着シートは、遮光状態で発光する誘導サインを表面に形成された基材シートの上方に、前記誘導サインを覆うようにして宣伝広告面を形成された透明ないし半透明のシートを積層したものである。また、本発明にかかる壁面付着シートは、遮光状態で発光する誘導サインを表面に形成された基材シートの上方に、前記誘導サインを覆うようにして宣伝広告面を形成された透明ないし半透明のシートを積層したものである。
【００１１】
【作用】
本発明にかかる表示用シートは、遮光状態で少なくとも一部が発光する第１の表示面と、前記第１の表示面を覆う第２の表示面とを備えており、明るい周囲環境では、第１の表示面は第２の表示面の背後に隠れて目立たない（あるいは、見えない）ので、通路や建物の床や壁などに貼っておくことにより、通常は第２の表示面により宣伝広告媒体、路線の乗り換え案内、ポスター等として利用することができる。表示用シートが設置されている場所において突然の停電などが発生して周囲が暗くなると、第２の表示面は見えにくくなるが、第１の表示面が発光するので、第２の表示面を透かして第１の表示面が見えるようになり、表示用シートの表示が切り替わる。従って、第１の表示面に地下施設やビル内から屋外へ脱出するための経路を示す緊急時誘導用のサインを表したり、エレベータの故障や電車事故などの際の非常時の対処方法の説明などを記載したりしておけば、そこにいる人々は、その誘導サインや指示に従って安全に避難することができる。
【００１２】
本発明の表示用シートは、このように広告媒体等と誘導用のサイン等とを兼ねることができるので、誘導サインなどとして用いる場合でも、通常の状態では、誘導サイン等が目立たず（あるいは、見えず）、建物や施設、通路などの外観を損ねない。このため、仮に大型の表示用シートを用いても建物や施設等の美観を損ねにくく、停電時には大型の誘導サイン等を表示させることが可能になる。
【００１３】
本発明の表示用シートには、上記のようにして従来の誘導灯や避難灯の機能などを持たせることができるが、ランプや電力を必要としていないので、せいぜい表面を拭く程度の保守作業で済み、従来の誘導灯や避難灯に比べて保守点検の労力が大幅に低減される。また、周囲環境の明暗に応じて自然に第１の表示面と第２の表示面とが切り替わるので、誤動作の恐れもなく、周囲の明るさを検知するためのセンサなども必要ない。このように、第１の表示面を発光させるためのランプや電力を必要とせず、周囲の明るさを検知するためのセンサなども必要ないので、ランニングコストが掛からず、省エネルギー化を図ることもできる。
【００１４】
また、第２の表示面の表面を保護層によって覆っておけば、第２の表示面の汚れや摩耗を防止し、表示用シートの耐久性を向上させることができる。さらに、第１の表示面の背面に光反射層を形成しておけば、第１の表示面から背面側へ出射された光を光反射層で反射させることによって前面側へ出射させることができ、第１の表示面の輝度を向上させることができる。
【００１５】
本発明にかかる床面付着シート及び壁面付着シートは、遮光状態で発光する誘導サインと、誘導サインを覆うようにして形成された宣伝広告面とを備えており、明るい周囲環境では、誘導サインは宣伝広告面の背後に隠れて目立たない（あるいは、見えない）ので、通路や建物の床や壁などに貼っておくことにより、通常は宣伝広告媒体として利用することができる。床面付着シート及び壁面付着シートが設置されている場所において突然の停電などが発生して周囲が暗くなると、宣伝広告面は見えにくくなるが、誘導サインが発光するので、宣伝広告面を透かして誘導サインが見えるようになって表示が切り替わる。従って、停電が起きた場合には、地下施設やビル内から屋外へ脱出するための経路を示す誘導サインに沿って移動することにより安全に避難することができる。
【００１６】
本発明の床面付着シート及び壁面付着シートは、このように宣伝広告媒体と誘導サインとを兼ねているので、緊急避難時の誘導用に用いる場合でも、通常の状態では、誘導サインが目立たず（あるいは、見えず）、建物や施設、通路などの外観を損ねない。このため、仮に大型の床面付着シートや壁面付着シートを用いても建物や施設等の美観を損ねにくく、停電時には大型の誘導サインを表示させることが可能になる。
【００１７】
本発明の床面付着シート及び壁面付着シートには、上記のようにして従来の誘導灯や避難灯の機能などを持たせることができるが、ランプや電力を必要としていないので、せいぜい表面を拭く程度の保守作業で済み、従来の誘導灯や避難灯に比べて保守点検の労力が大幅に低減される。また、周囲環境の明暗に応じて自然に誘導サインと宣伝広告面とが切り替わるので、誤動作の恐れもなく、周囲の明るさを検知するためのセンサなども必要ない。このように、誘導サインを発光させるためのランプや電力を必要とせず、周囲の明るさを検知するためのセンサなども必要ないので、ランニングコストが掛からず、省エネルギー化を図ることもできる。
【００１８】
【発明の実施の形態】
図１（ａ）は本発明にかかる表示用シート１の平面図、図１（ｂ）はその一部の断面を拡大して示した断面図である。この表示用シート１は、図１（ｂ）に示されているように、ゴムシートや軟質プラスチックシート等からなる基材シート２と、透明ないし半透明の透光性シート４と、透明な保護シート６とを積層し、基材シート２の裏面に粘着剤７を塗布したものである。
【００１９】
基材シート２は軟質のシートであって、厚みがあってクッション性のよいものや厚みの薄いものなど、用途に応じて任意の素材を用いることができる。この基材シート２の表面には、発光表示面３（第１の表示面）が形成されている。発光表示面３は、光エネルギーを吸収して蛍光や燐光等を発する蓄光材料を含有する蓄光塗料を印刷することにより形成されていてもよく、蓄光材料を含有した蓄光フィルムを貼り付けることによって形成されていてもよい。このような蓄光塗料や蓄光フィルムを用いれば、発光表示面３は、例えば３分間の光照射により十数分間の発光が可能になる。発光表示面３は基材シート２の表面全体に形成する必要は無く、表面の一部分だけでもよい。また、発光表示面３は１色に限らず、複数色ないし多色で表すこともできる。例えば、図１（ａ）に示す例（後述の図３も参照）では、緊急時の誘導サインとして矢印のマーク内に「地上出口」のロゴを表したものを発光表示面３としており、ロゴ部分を黄色の蓄光塗料ないし蓄光フィルムで形成し、矢印部分の全面を緑色の蓄光塗料ないし蓄光フィルムで形成している。また、発光表示面３の地（背景色）の部分には、光を出さない通常の塗料（例えば、黒色塗料）を塗布しておいてもよく、基材シート２がそのまま露出していてもよい。
【００２０】
透光性シート４は、透明ないし半透明の軟質樹脂シートで出来ており、発光表示面３の発光時に発光表示面３の光を透過させることができる。この透光性シート４の表面には、通常表示面５（第２の表示面）が形成されている。通常表示面５とは、蓄光性のない通常の塗料ないし着色フィルムによって形成された表示面である。この通常表示面５は、少なくとも発光表示面３の発光領域と対向する領域に形成されており、好ましくは透光性シート４の表面全面に形成されている。図１（ａ）に示す例では、通常表示面５には、地下鉄車両のシンボル図と地下鉄への乗り換え経路の道順を示す案内とマークが表示されているが、通常表示面５は、このような路線案内に限らない。例えば、宣伝広告、イベント案内、イラスト、アートなど任意の表示であり得る。
【００２１】
保護シート６は、透明な軟質シートでできており、通常表示面５が剥がれたり、摩耗で表示がかすれたりしないよう、通常表示面５の上から透光性シート４の表面を覆っている。特に、この表示用シート１がフロアマット（床面付着シート）として用いられる場合には、保護シート６には、耐久性・耐摩耗性のある材料からなるシートを用いる必要があり、滑り止めのためには摩擦係数の大きな材質のシートを用いるか、表面に滑り止めのエンボス加工やシボ加工などの滑り止め加工を施しておくのが望ましい。
【００２２】
基材シート２の裏面の粘着剤７は、表示用シート１を床や壁などに貼り付けて固定するためのものであり、使用前の段階では粘着剤７はライナー紙８で覆われている。従って、出荷及び搬送時には、表示用シート１の裏面にライナー紙８が貼られており、施工現場では、裏面のライナー紙８を剥がし、表示用シート１の裏面を床や壁に密着させて粘着剤７で床や壁などに貼り付けることができる。
【００２３】
上記のような表示用シート１にあっては、周囲が明るい場合には、発光表示面３は通常表示面５で覆い隠されているので、図２に示すように、その前面側からは通常表示面５が見えている。従って、周囲が明るい場合には、表示用シート１は、通常表示面５に表現されている、例えば地下鉄の乗り換え経路の案内を表示する。これに対し、周囲が暗い場合には、通常表示面５は見えにくくなり、図３に示すように、通常表示面５を透かして発光表示面３が浮かび上がってくる。従って、周囲が暗い場合には、表示用シート１は、発光表示面３に表現されている、例えば誘導サインを表示する。
【００２４】
ここで、周囲が明るい場合には、できるだけ発光表示面３が見えないようにし、周囲が暗くなったら、できるだけはっきりと発光表示面３が見えるように工夫する必要がある。１つには、透光性シート４として、発光表示面３の発光色と同系色の半透明シートを用い、明るい場所で発光表示面３が目立ちにくくする方法がある。あるいは、発光表示面３の地色（非発光部分の色）もしくは基材シート２の色を発光表示面３の発光色と同系色にし、周囲が明るい時に発光表示面３を目立ちにくくしてもよい。また、周囲が暗い時に発光表示面３が通常表示面５を透けて見え易くする方法としては、明るい時に発光表示面３が透けて見え過ぎない程度に通常表示面５の塗膜厚やフィルム厚を薄くする方法がある。あるいは、目立たない程度の小さな通孔を通常表示面５に多数あけたり、目立たない程度に通常表示面５に切れ目（スリット）を入れたりして、暗いところで発光表示面３が発光した時に発光表示面３の光が通常表示面５を通過し易いようにしてもよい。また、別な方法としては、基材シート２と発光表示面３との間に光反射シート（図示せず）を設けてもよい。発光表示面３の背後に光反射シートを設けることにより、発光表示面３から後方へ出射された光を前方へ向けて反射させることができるので、発光表示面３の発光輝度を向上させることができる。
【００２５】
図４は上記表示用シート１の設置場所の例を示す図である。ここに示す例では、表示用シート１は、駅構内、地下街、公共施設、ビル内などの壁面９や床面１０などに貼り付けて使用されている。床面１０にはフロアマット等（床面付着シート）として貼ることができ、壁面９にはポスターやステッカー等（壁面付着シート）として貼ることができる。そして、通常の状態では、表示用シート１は、路線の乗り換え案内や宣伝広告、イベント案内などの手段として用いられている。この場所で停電が発生して周囲が真っ暗になると、発光表示面３が自発光して誘導サインを表示し、地上出口の位置ないし方向を知らせる。よって、この誘導サインに従って移動することにより、安全に地上へ出ることができる。
【００２６】
上記実施形態では、停電時には誘導サインを表示するようになった表示用シート１を説明したが、停電時に表示する発光表示面３としては、誘導サインに限るものではない。例えば、鉄道車両では事故発生時のために非常用の手動レバーを操作することによってドアを手で開けられるようになっているが、車両内に表示用シート１を貼っておいて、停電時には、発光表示面３で当該手動レバーの位置を示すようにしてもよい。あるいは、発光表示面３で当該手動レバーの操作方法の説明を表示させるようにしてもよい。また、表示用シート１をエレベーター内に貼っておき、エレベーター内が停電した場合には、インターホン又は電話により管理会社と連絡をとる方法を知らせるようにしてもよい。
【００２７】
なお、上記実施形態では、透光性シート４の上に通常表示面５を形成したが、発光表示面３の上に直接に通常表示面５を形成してもよい。
【００２８】
【発明の効果】
本発明の表示用シート、床面付着シート及び壁面付着シートによれば、周囲が明るい状態と暗い状態とで異なる表示を行うことができるので、周囲が明るい状態では例えば宣伝広告媒体やポスター等として機能し、周囲が暗い状態では例えば避難用の誘導サイン等として機能する。しかも、周囲の明るさに応じて自然に表示が切り替わるので、電気回路等を利用している場合のように誤動作の恐れがなく、省エネルギー化を図ることができる。
【図面の簡単な説明】
【図１】（ａ）は本発明にかかる表示用シートの平面図、（ｂ）は表示用シートの一部拡大した断面図である。
【図２】周囲が明るい場合における、同上の表示用シートの状態を示す平面図である。
【図３】周囲が暗い場合における、同上の表示用シートの状態を示す平面図である。
【図４】図１の表示用シートの設置例を説明する図である。
【符号の説明】
１  表示用シート
２  基材シート
３  発光表示面
４  透光性シート
５  通常表示面
６  保護シート
７  粘着剤
８  ライナー紙
【図１】
2004163621.tif 000003
【図２】
2004163621.tif 000004
【図３】
2004163621.tif 000005
【図４】
2004163621.tif 000006